(57)【要約】  【課題】  阻止帯域の減衰量が十分にとれた、信号の選択性に優れる積層型誘電体フィルタを提供する。  【解決手段】  各コイルパターン導体を各導体間の誘電体層に形成された貫通導体３ｅ〜３ｇ，４ｅ〜４ｇで順次接続することにより形成され、積層体１を積層方向に見たときに隣接する第１の領域Ａおよび第２の領域Ｂにそれぞれ配置された、一端３ｘ，４ｘ同士が接続共通電極５で接続された第１のコイル素子３および第２のコイル素子４を備え、同じ誘電体層間で第１の領域Ａおよび第２の領域Ｂの境界付近にそれぞれ近接して配置された第１のコイル素子３および第２のコイル素子４のコイルパターン導体同士３ａ−４ａ，３ｃ−４ｃの間にグランドパターン９が形成された積層型誘電体フィルタ10である。２つのコイル素子の間で発生する電磁界結合が抑制されるので、阻止帯域の減衰量を十分にとることができる。【選択図】  図２
2008035468.tif 000002
【特許請求の範囲】
【請求項１】
複数の誘電体層が積層されてなる積層体と、
該積層体の内部または表面に形成されたグランド電極と、
複数の前記誘電体層間のそれぞれに形成されたコイルパターン導体を各コイルパターン導体間の前記誘電体層に形成された貫通導体で順次接続することにより形成され、前記積層体を積層方向に見たときに隣接する第１の領域および第２の領域にそれぞれ配置された、一端同士が接続共通電極で接続された第１のコイル素子および第２のコイル素子と、
前記第１のコイル素子の一端に接続された第１一端電極および他端に接続された第１他端電極の対からなる第１のコンデンサ素子と、
前記第２のコイル素子の一端に接続された第２一端電極および他端に接続された第２他端電極の対からなる第２のコンデンサ素子と、
前記接続共通電極に接続された第３一端電極および前記グランド電極の対からなる第３のコンデンサ素子とを備え、
前記第１のコイル素子の他端および前記第２のコイル素子の他端を信号の入出力部とした積層型誘電体フィルタであって、
同じ前記誘電体層間で前記第１の領域および第２の領域の境界付近にそれぞれ近接して配置された前記第１のコイル素子および第２のコイル素子の前記コイルパターン導体同士の間に前記グランド電極に接続されたグランドパターンが形成されていることを特徴とする積層型誘電体フィルタ。
【請求項２】
前記第１一端電極および前記第２一端電極が同じ誘電体層間で一体的に形成されていることを特徴とする請求項１に記載の積層型誘電体フィルタ。
【請求項３】
前記第１一端電極、前記第２一端電極および前記第３一端電極が同じ誘電体層間で一体的に形成されていることを特徴とする請求項１に記載の積層型誘電体フィルタ。
【請求項４】
前記第１一端電極および前記第２一端電極は、前記積層体の積層方向において前記グランドパターンと対向しないように配置されていることを特徴とする請求項１に記載の積層型誘電体フィルタ。
【請求項５】
前記接続共通電極は、前記第１一端電極を介して前記第１のコイル素子の一端に接続されており、前記第２一端電極を介して前記第２のコイル素子の一端に接続されていることを特徴とする請求項１に記載の積層型誘電体フィルタ。
【発明の詳細な説明】
【技術分野】
【０００１】
本発明は高周波ノイズ除去またはＲＦ回路ブロック内での高調波成分の除去に用いられる積層型誘電体フィルタに関するものである。
【背景技術】
【０００２】
従来の積層型誘電体フィルタとして、例えば、複数の誘電体層が積層されてなる積層体と、この積層体の内部または表面に形成されたグランド電極と、積層体の内部に形成され、一端同士が接続共通電極で接続された第１のコイル素子および第２のコイル素子と、第１のコイル素子の一端に接続された第１一端電極および他端に接続された第１他端電極の対からなる第１のコンデンサ素子と、第２のコイル素子の一端に接続された第２一端電極および他端に接続された第２他端電極の対からなる第２のコンデンサ素子と、接続共通電極に接続された第３一端電極およびグランド電極の対からなる第３のコンデンサ素子とが形成され、積層体の外部に、第１のコイル素子の他端と接続する入力端子電極および第２のコイル素子の他端と接続する出力端子電極が形成された積層型誘電体フィルタが知られている（例えば、特許文献１を参照。）。
【０００３】
このような従来の積層型誘電体フィルタは、まず、入力端子電極から出力端子電極までの間に直列接続して配置された第１のコイル素子および第２のコイル素子が有するインダクタンスと、入力端子電極からグランド電極までの間に配置された第１のコンデンサ素子が有するキャパシタンスとがそれぞれ高周波側の周波数帯域を全体的に減衰させることができる。さらに、上述した従来の積層型誘電体フィルタは、第１のコイル素子のインダクタンスと第１のコンデンサ素子のキャパシタンスとの並列共振、および第２のコイル素子のインダクタンスと第２のコンデンサ素子のキャパシタンスとの並列共振により形成される減衰極を通過帯域のすぐ高周波側に形成されるように設計しておくことにより、阻止帯域の減衰量は通過帯域との境界付近の周波数帯域から急激に大きくすることができるので、選択性に優れるローパスフィルタの特性を有した積層型誘電体フィルタとすることが可能であり、例えば、高周波ノイズを除去しつつ低周波の信号を通過させる用途に用いることができる。
【特許文献１】特開2004−153414号公報
【発明の開示】
【発明が解決しようとする課題】
【０００４】
しかしながら、上述した従来の積層型誘電体フィルタは、積層体の内部に形成された第１のコイル素子と第２のコイル素子とは互いに近接しており、この間で電磁界結合が発生し、この発生した電磁界結合が第１のコイル素子の他端から第２のコイル素子の他端までに信号が流れる経路を形成する。このことにより、従来の積層型誘電体フィルタは、入力端子電極から出力端子電極までのインピーダンスが全体的に低いものとなるので、阻止帯域の減衰量を十分にとることができず、選択性に優れるローパスフィルタの特性を得ることが困難であるという問題点があった。
【０００５】
本発明は上記のような従来の積層型誘電体フィルタにおける問題点に鑑み案出されたものであり、その目的は、阻止帯域の減衰量が十分にとれた、信号の選択性に優れる積層型誘電体フィルタを提供することにある。
【課題を解決するための手段】
【０００６】
本発明の積層型誘電体フィルタは、複数の誘電体層が積層されてなる積層体と、該積層体の内部または表面に形成されたグランド電極と、複数の前記誘電体層間のそれぞれに形成されたコイルパターン導体を各コイルパターン導体間の前記誘電体層に形成された貫通導体で順次接続することにより形成され、前記積層体を積層方向に見たときに隣接する第１の領域および第２の領域にそれぞれ配置された、一端同士が接続共通電極で接続された第１のコイル素子および第２のコイル素子と、前記第１のコイル素子の一端に接続された第１一端電極および他端に接続された第１他端電極の対からなる第１のコンデンサ素子と、前記第２のコイル素子の一端に接続された第２一端電極および他端に接続された第２他端電極の対からなる第２のコンデンサ素子と、前記接続共通電極に接続された第３一端電極および前記グランド電極の対からなる第３のコンデンサ素子とを備え、前記第１のコイル素子の他端および前記第２のコイル素子の他端を信号の入出力部とした積層型誘電体フィルタであって、同じ前記誘電体層間で前記第１の領域および第２の領域の境界付近にそれぞれ近接して配置された前記第１のコイル素子および第２のコイル素子の前記コイルパターン導体同士の間に前記グランド電極に接続されたグランドパターンが形成されていることを特徴とするものである。
【０００７】
また本発明の積層型誘電体フィルタは、上記構成において、前記第１一端電極および前記第２一端電極が同じ誘電体層間で一体的に形成されていることを特徴とするものである。
【０００８】
また本発明の積層型誘電体フィルタは、上記構成において、前記第１一端電極、前記第２一端電極および前記第３一端電極が同じ誘電体層間で一体的に形成されていることを特徴とするものである。
【０００９】
また本発明の積層型誘電体フィルタは、上記構成において、前記第１一端電極および前記第２一端電極は、前記積層体の積層方向において前記グランドパターンと対向しないように配置されていることを特徴とするものである。
【００１０】
また本発明の積層型誘電体フィルタは、上記構成において、前記接続共通電極は、前記第１一端電極を介して前記第１のコイル素子の一端に接続されており、前記第２一端電極を介して前記第２のコイル素子の一端に接続されていることを特徴とするものである。
【発明の効果】
【００１１】
本発明の積層型誘電体フィルタによれば、複数の誘電体層が積層されてなる積層体と、この積層体の内部または表面に形成されたグランド電極と、複数の誘電体層間のそれぞれに形成されたコイルパターン導体を各コイルパターン導体間の誘電体層に形成された貫通導体で順次接続することにより形成され、積層体を積層方向に見たときに隣接する第１の領域および第２の領域にそれぞれ配置された、一端同士が接続共通電極で接続された第１のコイル素子および第２のコイル素子と、第１のコイル素子の一端に接続された第１一端電極および他端に接続された第１他端電極の対からなる第１のコンデンサ素子と、第２のコイル素子の一端に接続された第２一端電極および他端に接続された第２他端電極の対からなる第２のコンデンサ素子と、接続共通電極に接続された第３一端電極およびグランド電極の対からなる第３のコンデンサ素子とを備え、第１のコイル素子の他端および第２のコイル素子の他端を信号の入出力部とした積層型誘電体フィルタであって、同じ誘電体層間で第１の領域および第２の領域の境界付近にそれぞれ近接して配置された第１のコイル素子および第２のコイル素子のコイルパターン導体同士の間にグランド電極に接続されたグランドパターンが形成されていることから、第１のコイル素子と第２のコイル素子とが互いに近接しているにもかかわらず、この間で発生する電磁界結合が抑制されたものとなっているので、第１のコイル素子の他端から第２のコイル素子の他端に至るまでの間に電磁界結合によって信号が流れる経路が形成されにくくなり、阻止帯域の減衰量が十分にとれた選択性に優れるローパスフィルタの特性を得ることが容易となる。
【００１２】
また、本発明の積層型誘電体フィルタによれば、第１一端電極および第２一端電極が同じ誘電体層間で一体的に形成されているときには、第１のコンデンサ素子と第２のコンデンサ素子との間でインダクタンスが低減されることにより設計通りの特性が得られ易いものとすることができるので、積層型誘電体フィルタの特性歩留まりを向上させることができる。
【００１３】
また、本発明の積層型誘電体フィルタによれば、第１一端電極、第２一端電極および第３一端電極が同じ誘電体層間で一体的に形成されているときには、第１のコンデンサ素子、第２のコンデンサ素子および第３のコンデンサ素子を構成する電極の全面積を小さくすることができるので、積層型誘電体フィルタの寸法を小型化させることができる。
【００１４】
また、本発明の積層型誘電体フィルタによれば、第１一端電極および第２一端電極は、積層体の積層方向においてグランドパターンと対向しないように配置されているときには、第１のコイル素子の一端および第２のコイル素子の一端とグランドパターンとの間のキャパシタンスを小さくすることができるので、阻止帯域よりも高周波側に通過帯域がつくられ、積層型誘電体フィルタを特定の高周波成分が通過可能なものにすることができる。
【００１５】
また、本発明の積層型誘電体フィルタによれば、接続共通電極は、第１一端電極を介して第１のコイル素子の一端に接続されており、第２一端電極を介して第２のコイル素子の一端に接続されているときには、接続共通電極は、同じ誘電体層間で一体的に形成されている第１一端電極と第２一端電極との間を電気的に接続するだけでよいものとなるので、内部導体として面積を小さくすることが可能となり、積層型誘電体フィルタの小型化を図ることができ、さらに金属材料の消費量を少なくすることができる。
【発明を実施するための最良の形態】
【００１６】
以下に、本発明の積層型誘電体フィルタについて添付図面を参照しつつ詳細に説明する。
【００１７】
図１は本発明の積層型誘電体フィルタの実施の形態の一例を示す外観斜視図であり、図２は図１の積層体の分解斜視図である。これらの図に示す本発明の積層型誘電体フィルタ10は、積層体１、積層体１の内部に形成されたグランド電極２、第１のコイル素子３、第２のコイル素子４、接続共通電極５、第１のコンデンサ素子６、第２のコンデンサ素子７、第３のコンデンサ素子８備えたものである。また、積層体１の表面には、入力端子電極11、出力端子電極12、およびグランド電極２と電気的に接続するグランド端子電極13が形成されている。なお、本発明の積層型誘電体フィルタ10は、入力端子電極11および出力端子電極12がそれぞれ積層体１の同一側面内に２つ形成されており、対向する入力端子電極11と出力端子電極12との間にそれぞれ独立するフィルタ機能を有した多連型の構成としている。
【００１８】
積層体１は、長方形状の複数の誘電体層１ａ〜１ｊが積層されてなる直方体状の誘電体ブロックである。誘電体層１ａ〜１ｊは、例えば、ＴｉＯ２−Ｎｄ２Ｏ３−ＢａＴｉＯ３等を主成分とする誘電体材料によって１層あたり５μｍ〜300μｍの厚みで形成されたものである。
【００１９】
入力端子電極11、出力端子電極12およびグランド端子電極13は、積層体１の側面に積層方向に渡って、例えば、Ｃｕ，ＡｇまたはＡｇ系合金を主成分とする導電性材料を用いて10μｍ〜70μｍの厚みで形成されたものである。
【００２０】
グランド電極２は、誘電体層間１ｈ−１ｉに所定形状に形成され、グランド端子電極13と電気的に接続された内部導体である。本発明の積層型誘電体フィルタ10の積層体１内部の内部導体は、例えば、Ｃｕ、ＡｕまたはＡｇ系合金を主成分とする導電体材料を用いて10μｍ〜70μｍの厚みで形成されたものである。
【００２１】
第１のコイル素子３は、誘電体層間１ｂ−１ｃ，１ｃ−１ｄ，１ｄ−１ｅ，１ｅ−１ｆのそれぞれに形成された内部導体のコイルパターン導体３ａ〜３ｄを、各コイルパターン導体３ａ〜３ｄ間の誘電体層１ｃ〜１ｅに形成された貫通導体３ｅ〜３ｇで順次接続することにより形成されたものである。
【００２２】
第２のコイル素子４は、誘電体層間１ｂ−１ｃ，１ｃ−１ｄ，１ｄ−１ｅ，１ｅ−１ｆのそれぞれに形成された内部導体のコイルパターン導体４ａ〜４ｄを、各コイルパターン導体４ａ〜４ｄ間の誘電体層１ｃ〜１ｅに形成された貫通導体４ｅ〜４ｇで順次接続することにより形成されたものである。
【００２３】
なお、これら貫通導体３ｅ〜３ｇ，４ｅ〜４ｇの材料としては、内部導体と同じ導電性材料を用いることができる。
【００２４】
これら第１のコイル素子３および第２のコイル素子４は、積層体１を積層方向に見たときに隣接する第１の領域Ａおよび第２の領域Ｂにそれぞれ配置されたものであり、また、それぞれの一端３ｘ，４ｘ同士が内部導体の接続共通電極５で接続されている。なお、本発明の積層型誘電体フィルタ10においては、図１に示される２つのグランド端子電極13同士を結ぶ線を境界にしたとき、入力端子電極11側を第１の領域Ａとし、出力端子電極12側を第２の領域Ｂとしている。
【００２５】
また、第１のコイル素子３の他端３ｙは、内部導体の引出し電極３ｍおよび貫通導体３ｉを介して入力端子電極11と電気的に接続されており、第２のコイル素子４の他端４ｙは、内部導体の引出し電極４ｍおよび貫通導体４ｉを介して出力端子電極12と電気的に接続されている。
【００２６】
第１のコンデンサ素子６は、接続共通電極５および貫通導体５ｉを介して第１のコイル素子３の一端３ｘに接続された内部導体の第１一端電極６ａ、ならびに入力端子電極11、引出し電極３ｍおよび貫通導体３ｉを介して第１のコイル素子３の他端３ｙに接続された内部導体の第１他端電極６ｂの対からなるものである。
【００２７】
第２のコンデンサ素子７は、接続共通電極５および貫通導体５ｉを介して第２のコイル素子４の一端４ｘに接続された内部導体の第２一端電極７ａ、ならびに出力端子電極12、引出し電極４ｍおよび貫通導体４ｉを介して第２のコイル素子４の他端４ｙに接続された内部導体の第２他端電極７ｂの対からなるものである。
【００２８】
第３のコンデンサ素子８は、貫通導体５ｉを介して接続共通電極５に接続された内部導体の第３一端電極８ａおよびグランド電極２の対からなるものである。
【００２９】
このような積層型誘電体フィルタ10の構成は、図３に示すような等価回路図で示される。入力端子電極11から出力端子電極12までの間に直列接続して配置された第１のコイル素子３および第２のコイル素子４が有するインダクタンスＬ１，Ｌ２と、入力端子電極11からグランド電極２までの間に配置された第１のコンデンサ素子８が有するキャパシタンスＣ１とが、それぞれ高周波側の周波数帯域を全体的に減衰させることができる。さらに、上述した積層型誘電体フィルタ10は、第１のコイル素子３のインダクタンスＬ１と第１のコンデンサ素子６のキャパシタンスＣ１との並列共振、および第２のコイル素子４のインダクタンスＬ２と第２のコンデンサ素子７のキャパシタンスＣ２との並列共振により形成される減衰極を通過帯域のすぐ高周波側に形成されるように設計しておくことにより、阻止帯域の減衰量は通過帯域との境界付近の周波数帯域から急激に大きくすることができるので、選択性に優れるローパスフィルタの特性を有した積層型誘電体フィルタ10とすることが可能であり、例えば、高周波ノイズを除去しつつ低周波の信号を通過させる用途に用いることができる。
【００３０】
そして、本発明の積層型誘電体フィルタ10は、同じ誘電体層間で第１の領域Ａおよび第２の領域Ｂの境界付近にそれぞれ近接して配置された第１のコイル素子３および第２のコイル素子４のコイルパターン導体同士３ａ−４ａ，３ｃ−４ｃの間にグランド電極２に接続されたグランドパターン９が形成されている。このことから、本発明の積層型誘電体フィルタ10は、第１のコイル素子３のコイルパターン導体３ａ，３ｃと第２のコイル素子４のコイルパターン導体４ａ，４ｃとが互いに近接しているにもかかわらず、この間で発生する電磁界結合が抑制されたものとなっているので、第１のコイル素子３の他端３ｙから第２のコイル素子４の他端４ｙに至るまでの間に電磁界結合によって信号が流れる経路が形成されにくくなり、阻止帯域の減衰量が十分にとれた選択性に優れるローパスフィルタの特性を得ることが容易となる。
【００３１】
なお、グランドパターン９は、図２に示すように、第１の領域Ａと第２の領域Ｂとの境界線に近い位置に配置されたコイルパターン導体同士３ａ−４ａ，３ｃ−４ｃのそれぞれの間には形成されているが、第１の領域Ａと第２の領域Ｂとの境界線から離れた位置に配置されたコイルパターン導体同士３ｂ−４ｂ，３ｄ−４ｄのそれぞれの間には形成されていない。このように、本発明の積層型誘電体フィルタ10によれば、コイルパターン導体を、コイルパターン導体同士の電磁界結合が強い誘電体層間１ｃ−１ｄ，１ｅ−１ｆと電磁界結合が弱い誘電体層間１ｂ−１ｃ，１ｄ−１ｅとに配置分けして、電磁界結合が強い誘電体層間１ｃ−１ｄ，１ｅ−１ｆに限定してグランドパターン９を形成していることから、グランドパターン９の全面積を少なくすることができるので、第１のコイル素子３と第２のコイル素子４との間の電磁界結合が効率よく抑制できることによって、内部導体を少なくした低コストの積層型誘電体フィルタ10とすることができる。また、グランドパターン９は、その両端が２つのグランド電極端子13のそれぞれに一つずつ電気的に接続されている。
【００３２】
また、本発明の積層型誘電体フィルタ10によれば、第１一端電極６ａおよび第２一端電極７ａが同じ誘電体層間１ｇ−１ｈで一体的に形成されていることから、第１のコンデンサ素子６と第２のコンデンサ素子７との間でインダクタンスが低減されることにより設計通りの特性が得られ易いものとすることができるので、積層型誘電体フィルタ10の特性歩留まりを向上させることができる。
【００３３】
さらに、本発明の積層型誘電体フィルタ10によれば、第１一端電極６ａ、第２一端電極７ａおよび第３一端電極８ａが同じ誘電体層間１ｇ−１ｈで一体的に形成されていることから、第１のコンデンサ素子６、第２のコンデンサ素子７および第３のコンデンサ素子８を構成する電極の全面積を小さくすることができるので、積層型誘電体フィルタ10を小型化することができる。
【００３４】
本発明の積層型誘電体フィルタ10は、例えば以下に示す方法により製造される。
【００３５】
本発明の積層型誘電体フィルタ10の製造方法は、基本的には、所定の内部導体および貫通導体に対応する導体ペーストのパターンを有した複数の誘電体グリーンシートを積層して成る積層シートを作製する第１工程と、積層シートを切断して直方体状の複数の個片に分離する第２工程と、個片の積層シートを焼成することにより焼結させて各内部導体および貫通導体を有する直方体状の積層体１を作製する第３工程と、積層体１の側面に導体ペーストを塗布し焼き付けて入力端子電極11および出力端子電極12を形成する第４工程とを備える。
【００３６】
第１工程において、誘電体グリーンシートは、例えば、ＢａＴｉＯ３，ＴｉＯ２およびＮｄ２Ｏ３等の金属酸化物の粉末に適当な有機溶剤および有機バインダ等を添加・混合して誘電体セラミックスラリーを作製し、この誘電体セラミックスラリーを例えばドクターブレード法等によって所定形状・所定厚みに形成することにより作製する。また、導体ペーストは、例えば、Ｃｕ，ＡｇまたはＡｇ系合金を主成分とする導体材料の粉末に適当な有機溶剤および有機バインダ等を添加・混合することにより作製する。内部導体に対応する導体ペーストのパターンは、例えばスクリーン印刷法等により所定形状・所定厚みに塗布して形成する。貫通導体に対応する導体ペーストのパターンは、例えば金型等を用いて誘電体グリーンシートの所定箇所を打ち抜くことにより貫通孔を形成し、スクリーン印刷法等によりこの貫通孔に導体ペーストを充填させることによって形成する。
【００３７】
そして、上述した導体ペーストのパターンが形成された誘電体グリーンシートを積層して密着させることにより、積層シートを作製する。
【００３８】
第２工程において、積層シートは、縦横の並びに複数配置した積層型誘電体フィルタ10に対応する個片の領域の境界線に沿って、例えば切断刃を用いて切断することにより、複数の個片へ分離する。
【００３９】
第３工程において、焼成する温度は、上述した材料を用いる場合は、例えば最大温度930℃〜970℃に設定する。
【００４０】
第４工程において、入力端子電極11および出力端子電極12を形成する導体ペーストは、Ｃｕ，ＡｇまたはＡｇ系合金を主成分とする導体材料の粉末に適当な有機溶剤および有機バインダ等を添加・混合することにより作製する。また、入力端子電極11および出力端子電極12の表面は、ＮｉおよびＳｎ等の金属膜をめっき処理によりめっき膜として形成しておくことが好ましい。
【００４１】
なお、本発明は上述した実施の形態の例に限定されるものではなく、本発明の要旨を逸脱しない範囲において種々の変更，改良等が可能である。
【００４２】
例えば、上述した実施の形態の例においては、グランド電極２は積層体１の内部に形成されたものとしているが、例えば、誘電体層１ｈが積層体１の最下層となるような構成とする場合には、グランド電極２を誘電体層１ｈの下面に形成するようにして積層体１の表面に形成することも可能である。
【００４３】
また、上述した実施の形態の例においては、入力端子電極11を第１のコイル素子３の他端３ｙと電気的に接続するとともに出力端子電極12を第２のコイル素子４の他端４ｙと電気的に接続した構成としているが、第１のコイル素子３および第２のコイル素子４はどちらを入力側とすることも可能である。
【００４４】
また、図４は本発明の積層型誘電体フィルタの実施の形態の他の例を示す積層体の分解斜視図である。図２の例において、第１のコイル素子の一端３ｘおよび第２のコイル素子の一端４ｘと図１に示されるグランド端子電極13との間には、図３に示されるキャパシタンスＣ３よって高周波成分のうち特に周波数の高いものをグランドに流していくようにしており、このキャパシタンスＣ３には、第３のコンデンサ素子８が有するキャパシタンス以外にも、第１一端電極６ａおよび第２一端電極７ａとグランドパターン９との間で得られるキャパシタンスも含まれている。そこで、図４の例に示すように、第１一端電極46ａおよび第２一端電極47ａは、積層体１の積層方向においてグランドパターン９と対向しないように配置されているときには、第１のコイル素子３の一端３ｘおよび第２のコイル素子４の一端４ｘとグランドパターン９との間のキャパシタンスを小さくすることができるので、阻止帯域よりも高周波側に通過帯域がつくられ、積層型誘電体フィルタ10を特定の高周波成分が通過可能なものにすることができる。
【００４５】
また、図４の例によれば、第１のコイル素子３の一端３ｘと第１一端電極46ａとを貫通導体43ｈを介して接続し、第２のコイル素子４の一端４ｘと第２一端電極47ａとを貫通導体44ｈを介して接続している。このように、接続共通電極45は、第１一端電極46ａを介して第１のコイル素子３の一端３ｘに接続されており、第２一端電極47ａを介して第２のコイル素子４の一端４ｘに接続されているときには、接続共通電極45は、同じ誘電体層間１ｇ−１ｈで一体的に形成されている第１一端電極46ａと第２一端電極47ａとの間を電気的に接続するだけでよいものとなるので、内部導体として面積を小さくすることが可能となり、積層型誘電体フィルタ10の小型化を図ることができ、さらに金属材料の消費量を少なくすることができる。
【実施例】
【００４６】
本発明の積層型誘電体フィルタについて具体例を説明する。
【００４７】
試料１として本発明の積層型誘電体フィルタ10を作製した。試料１は、積層体については長さ2.0ｍｍ、横1.25ｍｍ、高さ0.8ｍｍの直方体状とし、積層体の表面には図１および図２に示したような入力端子電極11、出力端子電極12、内部導体および貫通導体が形成されたものとし、フィルタ回路を２つ備える多連型の積層型誘電体フィルタとした。また試料１を構成する材料は、誘電体材料についてはＴｉＯ２−Ｎｄ２Ｏ３−ＢａＴｉＯ３を主成分とする材料とし、内部導体および貫通導体の材料についてはＡｇを主成分とする材料とした。
【００４８】
試料２として比較例の積層型誘電体フィルタを作製した。試料２は、本発明の積層型誘電体フィルタ10のグランドパターン９を形成しない点を除いては、試料１と同じ形状・材料のものとした。
【００４９】
これら試料１，２について、一定レベルの信号を１ＭＨｚ〜１ＧＨｚの周波数帯域で入力端子電極11に入力させたときに、出力端子電極12から出力される信号を測定した結果を図５に示す。図５は積層型誘電体フィルタの減衰特性を示す線図であり、横軸は出力される信号の周波数（単位：Ｈｚ）を示し、縦軸は出力される信号の減衰量（単位：ｄＢ）を示す。図中の実線の特性曲線Ｘは試料１の減衰特性を示し、また破線の特性曲線Ｙは試料２の減衰特性を示す。
【００５０】
図５に示す結果から分かるように、試料１は試料２に比べて阻止帯域全体で減衰量が大きく、特に、通過帯域との境界付近の周波数帯域で阻止帯域の減衰量が大きくなっている。これは、試料２においては第１のコイル素子３のコイルパターン導体３ａ，３ｃと第２のコイル素子４のコイルパターン導体４ａ，４ｃとが近接していることによりこの間で電磁界結合が発生して第１のコイル素子３の他端３ｙから第２のコイル素子４の他端４ｙに至るまでの間に信号が流れる経路が形成されてインピーダンスが全体的に低くなっていることから阻止帯域の減衰量が十分にとれておらず、試料１においてはこの電磁界結合が抑制されることにより阻止帯域の減衰量がとれたことによるものである。
【００５１】
このように本発明の積層型誘電体フィルタによれば、同じ誘電体層間で第１の領域および第２の領域の境界付近にそれぞれ近接して配置された第１のコイル素子および第２のコイル素子のコイルパターン導体同士の間にグランド電極に接続されたグランドパターンが形成されていることから、第１のコイル素子と第２のコイル素子との間で発生する電磁界結合が効率よく抑制されたものとなっているので、第１のコイル素子の他端から第２のコイル素子の他端に至るまでの間に電磁界結合によって信号が流れる経路が形成されにくくなり、阻止帯域の減衰量が十分にとれた選択性に優れるフィルタ特性が得られることが確認された。
【図面の簡単な説明】
【００５２】
【図１】本発明の積層型誘電体フィルタの実施の形態の一例を示す外観斜視図である。
【図２】図１の積層体の分解斜視図である。
【図３】本発明の積層型誘電体フィルタの等価回路図である。
【図４】本発明の積層型誘電体フィルタの実施の形態の他の例を示す積層体の分解斜視図である。
【図５】積層型誘電体フィルタの減衰特性を示す線図である。
【符号の説明】
【００５３】
１・・・積層体
２・・・グランド電極
３・・・第１のコイル素子
４・・・第２のコイル素子
５，45・・・接続共通電極
６ａ，46ａ・・・第１一端電極
６ｂ・・・第１他端電極
７ａ，47ａ・・・第２一端電極
７ｂ・・・第２他端電極
８ａ，48ａ・・・第３一端電極
９・・・グランドパターン
10・・・積層型誘電体フィルタ
11・・・入力端子電極
12・・・出力端子電極
【図１】
2008035468.tif 000003
【図２】
2008035468.tif 000004
【図３】
2008035468.tif 000005
【図４】
2008035468.tif 000006
【図５】
2008035468.tif 000007